(57)【要約】【課題】  縦軸の単位切り替えやグラフ表示領域を切り替えることなく、１画面での複数のトレンドグラフ表示における視認性を向上させることを可能としたトレンドグラフ表示装置を実現する。【解決手段】  複数のトレンドデータを夫々表示する複数のグラフを、１つの画面内に表示するトレンドグラフ表示装置において、  設定ファイル情報に基づいて、前記複数のグラフを所定距離ずらせて奥行き方向に並べて表示させるグラフ表示領域を設定し、前記複数のグラフを１つの画面内に表示させるグラフ生成手段と、  表示された複数のグラフの内の１個をフォーカス表示させると共に、他のグラフを透過表示させるフォーカス処理手段と、を備える。【選択図】                    図１
2009199240.tif 000002
【特許請求の範囲】
【請求項１】
複数のトレンドデータを夫々表示する複数のグラフを、１つの画面内に表示するトレンドグラフ表示装置において、
設定ファイル情報に基づいて、前記複数のグラフを所定距離ずらせて奥行き方向に並べて表示させるグラフ表示領域を設定し、前記複数のグラフを１つの画面内に表示させるグラフ生成手段と、
表示された複数のグラフの内の１個をフォーカス表示させると共に、他のグラフを透過表示させるフォーカス処理手段と、
を備えたことを特徴とするトレンドグラフ表示装置。
【請求項２】
前記トレンドデータを表示する複数のテーブルを、前記画面内に表示するテーブル表示手段を備えることを特徴とする請求項１に記載のトレンドグラフ表示装置。
【請求項３】
前記フォーカス処理手段は、前記複数のグラフまたは前記複数のテーブルの１個を前記画面内で指定した選択情報を取得し、当該選択グラフに対するフォーカス処理と他のグラフに対する透過処理を実行することを特徴とする請求項１または２に記載のトレンドグラフ表示装置。
【請求項４】
前記グラフ生成手段は、前記画面内に表示されているトレンドデータの１個を選択して前記テーブルにドラッグ・ドロップすることで、表示されるトレンドデータを追加させることを特徴とする請求項１乃至３のいずれかに記載のトレンドグラフ表示装置。
【請求項５】
前記グラフ生成手段は、前記設定ファイル情報に基づき、表示されるグラフの時間軸を個別に設定させることを特徴とする請求項１乃至４のいずれかに記載のトレンドグラフ表示装置。
【請求項６】
前記グラフ生成手段は、前記設定ファイル情報に基づき、設定するグラフ表示領域を３次元化し、グラフ表示領域全体を任意方向に回転して表示させることを特徴とする請求項１乃至５のいずれかに記載のトレンドグラフ表示装置。
【請求項７】
前記グラフ生成手段は、前記トレンドデータが３次元データである場合には、前記設定ファイル情報に基づき、当該トレンドデータをグラフ上で３次元表示させることを特徴とする請求項１乃至６のいずれかに記載のトレンドグラフ表示装置。
【発明の詳細な説明】
【技術分野】
【０００１】
本発明は、複数のトレンドデータを夫々表示する複数のグラフを、１つの画面内に表示するトレンドグラフ表示装置に関するものである。
【背景技術】
【０００２】
図８は、分散型制御システムに接続された、従来のトレンドグラフ表示装置の構成例を示す機能ブロック図である。汎用ＰＣ等によるトレンドグラフ表示装置１０は、汎用通信バス２０を介してデータ通信サーバ３０と通信し、データ通信サーバ３０がプラント７０から収集する、物理量のトレンドデータＡ，Ｂ，Ｃ，Ｄ，…を時系列的に取得する。
【０００３】
データ通信サーバ３０は、制御バス４０を介して分散型制御システムの制御装置５０と通信し、この制御装置５０がフィールドバス６０を介して通信・制御しているプラント７０の機器８１，８２，８３，８４，…のプロセス測定値等のトレンドデータＡ，Ｂ，Ｃ，Ｄ，…を時系列的に収集して保持する。
【０００４】
制御装置５０は、制御バス４０を介して操作監視装置９０と通信し、プラントの機器の制御を実行する。操作監視装置９０は、汎用通信バス２０に接続され、トレンドグラフ表示装置１０及びデータ通信サーバ３０と通信可能である。
【０００５】
トレンドグラフ表示装置１０の機能構成は、トレンドデータ保持部１１、設定ファイル１２、表示処理部１３、トレンドグラフ表示画面１４よりなる。トレンドデータ保持部１１は、通信サーバ３０から取得する所定期間のトレンドデータＡ，Ｂ，Ｃ，Ｄ，…を時系列的に保持している。
【０００６】
設定ファイル１２は、設定情報に基づいて指定期間で表示すべきデータＡ，Ｂ，Ｃ，Ｄ，…をトレンドデータ保持部１１より読み出し、グラフ表示領域、線種、色等の描画情報を表示処理部１３に渡す。
【０００７】
表示処理部１３は、設定ファイル１２から渡された仕様に基づいて、トレンドグラフ表示画面１４のグラフ表示領域１４ａに複数のトレンドデータ（Ａ，Ｂ，Ｃ，Ｄ）のトレンドを描画表示する。オペレータはこの表示画面から指定期間の複数のトレンドデータ相互のトレンドを比較検討することができる。
【０００８】
図９は、従来のトレンドグラフ表示装置の一般的な表示画面例であり、単一のグラフ表示領域１４ａに複数のトレンドデータＡ，Ｂ，Ｃ，Ｄを色分け等で識別表示し、各データの現在値をテーブル１４ｂで表示している。
【０００９】
グラフ表示領域は単一であるため、縦軸の単位スケール及び単位表示は、複数のトレンドデータ中の１個、図ではトレンドデータＡの流量単位が表示されている。このトレンドデータＡについては物理量の真値のトレンドを読むことができるが、他のトレンドデータＢ，Ｃ，Ｄについては変化の傾向のみが把握可能である。
【００１０】
図１０は、従来のトレンドグラフ表示装置の他の表示画面例であり、設定ファイル１２の設定情報で、異なる単位系毎に縦軸の単位表示を切り替えて表示する操作を実行している。グラフ表示領域１４ａでは縦軸に流量ｋｇ／ｈを、１４ａ´では縦軸に温度Ｃ°を、１４ａ″では電力量ｋｗ／ｈを切り替え表示している。この切り替えは、自動的かつ周期的に表示が切り替わる場合や、対象を選択した都度に切り替わる場合等がある。
【００１１】
図１１は、従来のトレンドグラフ表示装置の更に他の表示画面例であり、表示データ数が多い場合に採用されるもので、１画面中に複数（図では２個）のグラフ表示領域１４ａ、１４ａ´を定義して表示し、トレンドデータ群を２分して表示している。
【００１２】
図１２は、従来のトレンドグラフ表示装置の更に他の表示画面例であり、同じく表示データ数が多い場合に採用されるもので、複数（図では２個）のグラフ表示領域１４ａ、１４ａ´を切り替えて１画面に表示している。
【００１３】
【特許文献１】特開２００５−３３２３６０号公報
【特許文献２】特開２００７−０９４８５６号公報
【特許文献３】特開２００７−１１５１７６号公報
【発明の開示】
【発明が解決しようとする課題】
【００１４】
従来手法によるトレンドグラフ表示装置では、次のような問題点がある。
（１）図９のように、単一のグラフ表示領域に複数のトレンドデータを表示すると、その数が増えるたびに視認性が低下し、判別が困難になる。特に縦軸に示す単位が異なるデータが混在する場合が多く、表示が自動的に切り替わる場合では、トレンドデータと対象単位の合致が困難となる。図１０のように、任意に単位表示を切り替えられる場合でも、瞬時に複数のトレンドデータの数値を確認することは困難である。
【００１５】
（２）図１１のように、複数のグラフ表示領域を表示した場合、夫々に縦軸の単位、数値範囲が同じデータを並べることで視認性を向上させることができる。しかし、グラフ表示領域そのものが小さくなるため、表示範囲が縮小してしまうことが問題となる。
【００１６】
（３）図１２のような画面切り替えの場合では、確認できるグラフは常に画面上の一つであるため、他のトレンドデータとの比較が困難となる。
【００１７】
本発明は上述した問題点を解決するためになされたものであり、縦軸の単位切り替えやグラフ表示領域を切り替えることなく、１画面での複数のトレンドグラフ表示における視認性を向上させることを可能としたトレンドグラフ表示装置の実現を目的としている。
【課題を解決するための手段】
【００１８】
このような課題を達成するために、本発明は次の通りの構成になっている。
（１）複数のトレンドデータを夫々表示する複数のグラフを、１つの画面内に表示するトレンドグラフ表示装置において、
設定ファイル情報に基づいて、前記複数のグラフを所定距離ずらせて奥行き方向に並べて表示させるグラフ表示領域を設定し、前記複数のグラフを１つの画面内に表示させるグラフ生成手段と、
表示された複数のグラフの内の１個をフォーカス表示させると共に、他のグラフを透過表示させるフォーカス処理手段と、
を備えたことを特徴とするトレンドグラフ表示装置。
【００１９】
（２）前記トレンドデータを表示する複数のテーブルを、前記画面内に表示するテーブル表示手段を備えることを特徴とする（１）に記載のトレンドグラフ表示装置。
【００２０】
（３）前記フォーカス処理手段は、前記複数のグラフまたは前記複数のテーブルの１個を前記画面内で指定した選択情報を取得し、当該選択グラフに対するフォーカス処理と他のグラフに対する透過処理を実行することを特徴とする（１）または（２）に記載のトレンドグラフ表示装置。
【００２１】
（４）前記グラフ生成手段は、前記画面内に表示されているトレンドデータの１個を選択して前記テーブルにドラッグ・ドロップすることで、表示されるトレンドデータを追加させることを特徴とする（１）乃至（３）のいずれかに記載のトレンドグラフ表示装置。
【００２２】
（５）前記グラフ生成手段は、前記設定ファイル情報に基づき、表示されるグラフの時間軸を個別に設定させることを特徴とする（１）乃至（４）のいずれかに記載のトレンドグラフ表示装置。
【００２３】
（６）前記グラフ生成手段は、前記設定ファイル情報に基づき、設定するグラフ表示領域を３次元化し、グラフ表示領域全体を任意方向に回転して表示させることを特徴とする（１）乃至（５）のいずれかに記載のトレンドグラフ表示装置。
【００２４】
（７）前記グラフ生成手段は、前記トレンドデータが３次元データである場合には、前記設定ファイル情報に基づき、当該トレンドデータをグラフ上で３次元表示させることを特徴とする（１）乃至（６）のいずれかに記載のトレンドグラフ表示装置。
【発明の効果】
【００２５】
本発明の構成によれば、次のような効果を期待することができる。
（１）奥行き方向にグラフ表示領域をずらせて配置することで、従来よりも多くのトレンドデータを１画面内に表示することができる。
【００２６】
（２）画面に表示されているグラフ、テーブル、タブのいずれを選択してもフォーカスが切り替わるため、対象のグラフに注目しやすくなる。
【００２７】
（３）複数のグラフ表示領域中で、フォーカスされたものが前面に押し出された表示となるため、現在どのグラフに注目しているかがわかりやすくなる。
【００２８】
（４）縦軸の単位系別にグラフを分けることができるため、縦軸表示の切り替えが無くなり、グラフの視認性が向上する。
【００２９】
（５）すべてのグラフが１画面に表示されているため、瞬時に当該グラフを確認することができる。
【発明を実施するための最良の形態】
【００３０】
以下、本発明を図面により詳細に説明する。図１は、分散型制御システムに接続された、本発明を適用したトレンドグラフ表示装置の一実施形態を示す機能ブロック図である。図８で説明した従来装置と同一要素には同一符号を付して説明を省略する。
【００３１】
本発明が適用されたトレンドグラフ表示装置１００の機能構成は、トレンドデータ保持部１０１、設定ファイル１０２、表示処理部１０３、トレンドグラフ表示画面１０４で構成される。トレンドデータ保持部１０１及び設定ファイル１０２の機能は、従来装置のトレンドデータ保持部１１及び設定ファイル１２の機能と同一である。
【００３２】
表示処理部１０３は、グラフ生成手段１０３ａ、フォーカス処理手段１０３ｂ、テーブル表示手段１０３ｃよりなる。グラフ生成手段１０３ａは、設定ファイル１０２からの描画情報に基づいて、トレンドグラフ表示画面１０４内に、複数のグラフを所定距離シフトさせて奥行き方向にずらせて並列表示させるグラフ表示領域１０４ａを設定し、複数のグラフをこのグラフ表示領域１０４ａ内に表示させる。
【００３３】
フォーカス処理手段１０３ｂは、表示された複数のトレンドグラフの内の１個をフォーカス表示させると共に、他のトレンドグラフを透過表示させる。テーブル表示手段１０３ｃは、トレンド表示の対象となるトレンドデータの現在値を表示する複数のテーブル１０４ｂをトレンドグラフ表示画面１０４内に表示する。
【００３４】
グラフ表示領域１０４ａ内に表示される複数のグラフは、夫々にグラフ選択用のタブ１０４ｃを備える。同様に、複数のテーブル１０４ｂは、夫々にテーブル選択用のタブ１０４ｄを備える。
【００３５】
フォーカス処理手段１０３ｂは、複数のグラフまたは複数のテーブルの１個をトレンドグラフ表示画面１０４内で、ユーザがタブ１０４ｃまたは１０４ｄをマウスクリック等で指定した選択情報を取得し、当該選択グラフに対するフォーカス処理と他のグラフに対する透過処理を実行する。
【００３６】
図２は、本発明を適用したトレンドグラフ表示装置の一実施形態の表示画面である。この実施形態では、グラフ表示領域１０４ａは３個のグラフ表示領域１０４ａ１、１０４ａ２、１０４ａ３に分割して設定されており、夫々が所定の距離を持って奥行き方向にずらせて並列表示されている。
【００３７】
グラフ表示領域の個数は、設定ファイル１０２により任意に変更することができる。ここでは、グラフ表示領域１０４ａ１には縦軸の単位が「ｋｇ／ｈ」となるもの、グラフ表示領域１０４ａ２には縦軸の単位が「℃」となるもの、グラフ表示領域１０４ａ３には縦軸の単位が「ｋｗ／ｈ」となるものに分別して表示している。
【００３８】
各グラフ表示領域の横軸は、同一の時間軸を示している。テーブル１０４ｂ１、１０４ｂ２、１０４ｂ３には、各グラフ表示領域１０４ａ１、１０４ａ２、１０４ａ３に表示されるトレンドデータの名称と数値、単位、グラフ上の色等の情報が示される。
【００３９】
図では、フォーカスがグラフ表示領域１０４ａ１に当てられているため、他のグラフ表示領域１０４ａ２、１０４ａ３のグラフは、１０４ａ１の後ろに透けて見える形で表示されている。同様にテーブル１０４ｂ１の後ろに、テーブル１０４ｂ２と１０４ｂ３が透けて表示されている。
【００４０】
フォーカスの変更は、グラフ表示領域１０４ａ１、１０４ａ２、１０４ａ３の任意の箇所、若しくはテーブル１０４ｂ１、１０４ｂ２、１０４ｂ３の任意の箇所をマウスでクリックするか、タッチパネルならば指で選択することで行う。同様に、グラフ表示領域上部のタブ１０４ｃ１〜１０４ｃ３、若しくはテーブル上部のタブ１０４ｄ１〜１０４ｄ３を選択することでもフォーカスの変更は可能である。
【００４１】
グラフ表示領域同士の間隔が短くほぼ重なってしまうような場合でも、これらのタブは重ならないように配置され、グラフの選択が確実にできる。ここで、グラフ表示領域１０４ａ２にフォーカスを変更した場合には、グラフ表示領域１０４ａ２の後ろに１０４ａ１及び１０４ａ３の表示領域上のグラフが透けて見える形となる。同様にテーブル１０４ｂ２の後ろに、テーブル１０４ｂ１及び1１０４ｂ３が透けて表示される。
【００４２】
各グラフ表示領域に表示するトレンドデータ、横軸のトレンド表示時間範囲、縦軸の数値範囲や表示単位等の設定も、設定ファイル１０２で行うことができる。
【００４３】
図３は、本発明を適用したトレンドグラフ表示装置の信号処理手順を示すフローチャートである。システムの起動をスタートすると、ステップＳ１で設定ファイル１０２の設定情報を読み込む。
【００４４】
次にステップＳ２において設定ファイルに従ったグラフ表示領域をｎ個作成し、ステップＳ３で作成したグラフ表示領域をトレンドグラフ表示画面１０４に表示する。
【００４５】
次にステップＳ４のグラフ選択においては、いずれかのグラフまたはテーブルが選択された場合にはフォーカスを変更し、選択されていない場合には最前列のグラフとテーブルにフォーカスを当てる。
【００４６】
ステップＳ５のフォーカス処理では、選択されたグラフ及びテーブルを前面に描画し、その他のグラフとテーブルを後方に移動して透過処理を施す。
【００４７】
図４は、本発明を適用したトレンドグラフ表示装置の他の実施形態の表示画面であり、データの追加削除機能を説明している。トレンドグラフ表示画面１０４上に矩形で表示されたトレンドデータ群１０４ｅの内、トレンドグラフ表示したい矩形１０４ｅ１（データＦ：温度）を、温度表示（データＣ）のテーブル１０６ｂ２上にドラッグ＆ドロップすることにより、データＦをグラフ表示領域１０４ａ２に追加表示することができる。
【００４８】
このように、グラフ表示領域に新たなデータを追加したい場合、従来よりも視覚的に分かり易い操作で行うことが可能となる。不必要と判断したデータはテーブルから外すことで、グラフ表示を消すことも可能となる。また、設定ファイル１０２により、グラフ表示領域そのものを追加、削除することも容易にできる。
【００４９】
図５は、本発明を適用したトレンドグラフ表示装置の更に他の実施形態の表示画面であり、グラフ表示領域毎に横軸の時間範囲を変更する機能を説明している。図では、設定ファイル１０２の設定で、グラフ表示領域１０４ａ１の時間範囲Ｔ１に対してグラフ表示領域１０４ａ２の時間範囲をＴ２に変更している。
【００５０】
このように、横軸の時間範囲を変更することにより、過去のグラフデータの表示や、未来予測システムを導入した場合の未来時刻のトレンドグラフ等を並べて表示することが可能となる。過去、現在、可能な場合は未来のトレンドグラフを同一画面で表示、比較することが可能となる。
【００５１】
単純に横軸方向にグラフが拡大することにより、表示できるトレンドデータ量が増加する。しかしながら、フォーカスの切り替えにより、任意のグラフに注目し易くなるため、視認性が向上する。
【００５２】
図６は、本発明を適用したトレンドグラフ表示装置の更に他の実施形態の表示画面であり、グラフ表示領域の３次元化機能を説明している。グラフ表示領域を３次元化することで、グラフを任意方向へ回転して表示することが可能となる。任意方向視点により視認性が向上する。特に同種類のデータの比較を行う場合等では、正面方向からグラフを重ねることで異常変化の視認性が向上する。
【００５３】
図７は、本発明を適用したトレンドグラフ表示装置の更に他の実施形態の表示画面であり、３次元データの表示機能を説明している。収集されるトレンドデータが物理量の他に他のパラメータを持つ場合に、これを３次元データとして表示する。
【００５４】
グラフ表示領域を３次元化して奥行き方向の軸Ｚを追加すれば、３次元データを表示することが可能となる。トレンドグラフ表示が３次元データ表示に拡張されるため、別途３次元表示装置を用意する手間を省くことができる。
【図面の簡単な説明】
【００５５】
【図１】分散型制御システムに接続された、本発明を適用したトレンドグラフ表示装置の一実施形態を示す機能ブロック図である。
【図２】本発明を適用したトレンドグラフ表示装置の一実施形態の表示画面である。
【図３】本発明を適用したトレンドグラフ表示装置の信号処理手順を示すフローチャートである。
【図４】本発明を適用したトレンドグラフ表示装置の他の実施形態の表示画面である。
【図５】本発明を適用したトレンドグラフ表示装置の更に他の実施形態の表示画面である。
【図６】本発明を適用したトレンドグラフ表示装置の更に他の実施形態の表示画面である。
【図７】本発明を適用したトレンドグラフ表示装置の更に他の実施形態の表示画面である。
【図８】分散型制御システムに接続された、従来のトレンドグラフ表示装置の構成例を示す機能ブロック図である。
【図９】従来のトレンドグラフ表示装置の表示画面例である。
【図１０】従来のトレンドグラフ表示装置の他の表示画面例である。
【図１１】従来のトレンドグラフ表示装置の他の表示画面例である。
【図１２】従来のトレンドグラフ表示装置の他の表示画面例である。
【符号の説明】
【００５６】
２０  汎用通信バス
３０  データ通信サーバ
４０  制御バス
５０  制御装置
６０  フィールドバス
７０  プラント
８１，８２，８３，８４  機器
９０  操作監視装置
１００  トレンドグラフ表示装置
１０１  トレンドデータ保持部
１０２  設定ファイル
１０３  表示処理部
１０３ａ  フォーカス処理手段
１０３ｂ  グラフ生成手段
１０３ｃ  テーブル表示手段
１０４  トレンドグラフ表示画面
１０４ａ  グラフ表示領域
１０４ｂ  テーブル
１０４ｃ，１０４ｄ  タブ
【図１】
2009199240.tif 000003
【図２】
2009199240.tif 000004
【図３】
2009199240.tif 000005
【図４】
2009199240.tif 000006
【図５】
2009199240.tif 000007
【図６】
2009199240.tif 000008
【図７】
2009199240.tif 000009
【図８】
2009199240.tif 000010
【図９】
2009199240.tif 000011
【図１０】
2009199240.tif 000012
【図１１】
2009199240.tif 000013
【図１２】
2009199240.tif 000014